(57)【要約】【課題】運転者が可能な限り短時間で警報に気付くことができ、運転者が正常状態であるにもかかわらず異常状態であると誤って判定されることを防止することができる運転支援装置を提供する。【解決手段】本発明は、車両の運転を支援する運転支援装置であって、運転者の状態を検知する車内カメラ等と、運転者に警報を発するスピーカ等と、運転者の操作によって警報を停止するハザードスイッチと、車内カメラ等からの信号に基づいて運転者が正常状態又は異常状態であるかを推定する運転者状態推定部と、スピーカ等の警報実行中に、ハザードスイッチの停止信号に基づいて、運転者が正常状態又は異常状態であるかを判定する運転者状態判定部と、を有し、運転者状態判定部は、運転者状態推定部により運転者が異常状態であると推定された場合に、スピーカ等が運転席に向かう指向性を有する音及び／又は光による警報を発する車内警報処理を実行する。【選択図】図１
2019067242.tif 000002
【特許請求の範囲】
【請求項１】
車両の運転を支援する運転支援装置であって、
運転者の状態を検知する検知手段と、
運転者に警報を発する車内警報手段と、
運転者の操作によって上記警報を停止する警報停止手段と、
上記検知手段からの信号に基づいて運転者が正常状態又は異常状態であるかを推定する運転者状態推定部と、
上記車内警報手段の警報実行中に、上記警報停止手段の停止信号に基づいて、運転者が正常状態又は異常状態であるかを判定する運転者状態判定部と、を有し、
上記運転者状態判定部は、上記運転者状態推定部により運転者が異常状態であると推定された場合に、上記車内警報手段が運転席に向かう指向性を有する音及び／又は光による警報を発する車内警報処理を実行する、運転支援装置。
【請求項２】
上記車内警報手段は、スピーカ及び表示部を有し、
上記運転者状態判定部は、上記スピーカが音による警報を発する第１の車内警報処理を実行した後に第１の所定時間が経過した場合、上記表示部が光による警報を発する第２の車内警報処理を実行する、請求項１に記載の運転支援装置。
【請求項３】
上記運転者状態判定部は、運転者の視線が上記表示部を向いておらず且つ上記車内警報処理を実行した後に第２の所定時間が経過した場合、上記車両に対して制動力を付与する減速処理を実行する、請求項２に記載の運転支援装置。
【請求項４】
上記運転者状態判定部は、上記減速処理の実行中に、上記車内警報手段であるスピーカの音量及び／又は表示部の光量を増加させる、請求項３に記載の運転支援装置。
【請求項５】
上記運転者状態判定部は、上記車内警報処理を実行した後に上記停止信号を受信した場合、上記車内警報処理を終了して、上記車内警報処理に関するメッセージを運転者に報知する、請求項１乃至４の何れか１項に記載の運転支援装置。
【請求項６】
更に、危険回避制御部を有し、
この危険回避制御部は、上記停止信号を受信せず且つ上記車内警報処理を実行した後に第３の所定時間が経過した場合、上記車両の外部に設けられた車外警報手段を点灯させると共に、自動で車両の走行を制御して停止させる、請求項１乃至５の何れか１項に記載の運転支援装置。
【請求項７】
上記表示部は、車両内部の前方に設けられる、ウィンカーインジケータ及び／又はヘッドアップディスプレイである、請求項２乃至６の何れか１項に記載の運転支援装置。
【請求項８】
上記警報停止手段は、ハザードスイッチである、請求項１乃至７の何れか１項に記載の運転支援装置。
【発明の詳細な説明】
【技術分野】
【０００１】
本発明は、運転支援装置に係り、特に車両の運転を支援する運転支援装置に関する。
【背景技術】
【０００２】
従来から、例えば、特許文献１に記載されているように、居眠り等に起因する車両事故を未然に防止するため、運転者の状態を車内カメラで監視し、運転者が居眠りをしている等の異常状態である場合、車両を自動運転制御によって安全な場所に移動させる車載制御装置が知られている。この車載制御装置は、車内カメラに基づき運転者が異常状態であると判定した場合、自動運転制御を実行する前に、警報音や車内ハザードランプの点灯による警報を実行して、運転者が異常状態であるか否かを再確認している。これにより、運転者が正常状態であるにもかかわらず異常状態であると誤って判定されて自動運転制御が実行されることを防止している。具体的に、車載制御装置は、警報実行中に運転者が警報を停止した場合、正常状態であると判定して自動運転制御の実行を禁止している。一方、車載制御装置は、警報を実行してから所定時間が経過するまで運転者が警報を停止しない場合、異常状態であると判定して車外ハザードランプを点滅させると共に自動運転制御を実行している。
【先行技術文献】
【特許文献】
【０００３】
【特許文献１】特開２０１６−８５５６３号公報
【発明の概要】
【発明が解決しようとする課題】
【０００４】
しかしながら、上述した車載制御装置は、車内ハザードランプやスピーカの警報は、何ら工夫されずに単に発生されているだけであるので、運転者が瞬時に警報に気付くことは困難である。このため、運転者が警報を停止するまで時間が掛かり、正常状態であるにもかかわらず異常状態であると誤って判定される恐れがあるという問題がある。この問題を解決するために、警報を開始してから自動運転制御を実行するまでの時間を長くして、運転者が警報に気付くまでの時間を十分に確保することが考えられる。しかし、この場合は、万が一運転者が異常状態であると、自動運転制御を実行するまでに時間が掛かり、車両事故の発生に繋がる恐れがあるという問題がある。
【０００５】
従って、本発明は、運転者が可能な限り短時間で警報に気付くことができ、運転者が正常状態であるにもかかわらず異常状態であると誤って判定されることを防止することができる運転支援装置を提供することを目的としている。
【課題を解決するための手段】
【０００６】
上述した課題を解決するために、車両の運転を支援する運転支援装置であって、運転者の状態を検知する検知手段と、運転者に警報を発する車内警報手段と、運転者の操作によって警報を停止する警報停止手段と、検知手段からの信号に基づいて運転者が正常状態又は異常状態であるかを推定する運転者状態推定部と、車内警報手段の警報実行中に、警報停止手段の停止信号に基づいて、運転者が正常状態又は異常状態であるかを判定する運転者状態判定部と、を有し、運転者状態判定部は、運転者状態推定部により運転者が異常状態であると推定された場合に、車内警報手段が運転席に向かう指向性を有する音及び／又は光による警報を発する車内警報処理を実行する。
【０００７】
このように構成された本発明においては、車内警報手段が運転席に向かう指向性を有する音及び／又は光による警報を行うことにより、運転者が正常状態である場合に、従来よりも短時間で警報に気付いて警報を停止することができる。したがって、運転者が正常状態であるにもかかわらず異常状態であると誤って判定することを防止することができる。
【０００８】
本発明において、好ましくは、車内警報手段は、スピーカ及び表示部を有し、運転者状態判定部は、スピーカが音による警報を発する第１の車内警報処理を実行した後に第１の所定時間が経過した場合、表示部が光による警報を発する第２の車内警報処理を実行する。このように構成された本発明においては、運転者の聴覚に対して音による警報を行った後、所定時間が経過して運転者の視覚に対して警報を行うため、運転者は、慌てることなく順序良く警報内容を確認することができる。
【０００９】
また、本発明において、好ましくは、運転者状態判定部は、運転者の視線が表示部を向いておらず且つ車内警報処理を実行した後に第２の所定時間が経過した場合、車両に対して制動力を付与する減速処理を実行する。このように構成された本発明においては、車両が減速することにより、運転者は減速Ｇを身体で感じるため、運転者は確実に警報に気付くことができる。
【００１０】
本発明において、好ましくは、運転者状態判定部は、減速処理の実行中に、車内警報手段であるスピーカの音量及び／又は表示部の光量を増加させる。このように構成された本発明においては、運転者はより確実に警報に気付くことができる。
【００１１】
また、本発明において、好ましくは、運転者状態判定部は、車内警報処理を実行した後に停止信号を受信した場合、車内警報処理を終了して、車内警報処理に関するメッセージを運転者に報知する。このように構成された本発明においては、車内警報処理に関するメッセージを報知するため、運転者は、安心して運転を継続することができる。
【００１２】
本発明において、好ましくは、更に、危険回避制御部を有し、この危険回避制御部は、停止信号を受信せず且つ車内警報処理を実行した後に第３の所定時間が経過した場合、車両の外部に設けられた車外警報手段を点灯させると共に、自動で車両の走行を制御して停止させる。このように構成された本発明においては、運転者が異常状態であると判定された場合に、車外警報手段の点灯により運転者が異常状態であることを車外に知らせると共に、自動運転により運転者を安全な場所に退避させることができる。
【００１３】
また、本発明において、好ましくは、表示部は、車両内部の前方に設けられる、ウィンカーインジケータ及び／又はヘッドアップディスプレイである。このように構成された本発明においては、通常の運転時に使用される機器であるため、運転者は、短時間で警報に気付くことができる。
【００１４】
本発明において、好ましくは、警報停止手段は、ハザードスイッチである。このように構成された本発明においては、通常の運転時に使用される機器であるため、運転者は、短時間で停止操作を行うことができる。
【発明の効果】
【００１５】
本発明は、運転者が可能な限り短時間で警報に気付くことができ、運転者が正常状態であるにもかかわらず異常状態であると誤って判定されることを防止することができる。
【図面の簡単な説明】
【００１６】
【図１】本発明の実施形態による運転支援装置を示すブロック図である。
【図２】本発明の実施形態による運転支援装置を搭載した車両の前方部分を示す部分正面図である。
【図３】本発明の実施形態による運転支援装置の動作を示すタイムチャートである。
【図４】本発明の実施形態による運転支援装置を搭載した車両の動作を示す概略平面図である。
【図５】本発明の実施形態による運転支援装置の車内警報処理、減速処理等の各処理を示すフローチャートである。
【図６】本発明の実施形態による危険回避処理を示すフローチャートである。
【発明を実施するための形態】
【００１７】
以下、添付図面を参照して、本発明の実施形態を説明する。
まず、図１及び図２を参照して、運転支援装置の基本構成について説明する。図１は本発明の実施形態による運転支援装置を示すブロック図である。図２は本発明の実施形態による運転支援装置を搭載した車両の前方部分を示す部分正面図である。
【００１８】
図１に示すように、運転支援装置１は、車両に搭載され、運転者の状態を検知する検知部３、運転者が操作してハザードランプ１９をＯＮ／ＯＦＦするハザードスイッチ５、運転支援に関する種々の処理を実行するＥＣＵ７（Electronic Control Unit）、運転者に警報を発する車内警報部９、車両に付与する制動力を制御するブレーキ制御部１１、エンジンの出力を制御するエンジン制御部１３、車両の操舵を制御するステアリング制御部１５、ハザード状態を知らせるハザードランプ１９、ドアをロック状態又は解除状態にするドアロック機構１７、車外に通報をする通信機１８を備えている。検知部３は、後述する車外カメラ２１、レーダ２３、ソナー２５、車速センサ２７、車内カメラ２８を備えている。車内警報部９は、後述するスピーカ２９、ウィンカーインジケータ３１、ヘッドアップディスプレイ３３（ＨＵＤ；Head-Up Display）、センターディスプレイ３５を備えている。
【００１９】
次に、検知部３について説明する。検知部３は、本来、車両走行のために種々のデータ（車速、オフセット距離、車間距離、ブレーキ反応時間、運転者の顔画像等）を得るものであるが、本実施形態においては、後述するように、運転者が正常状態又は異常状態であるかを推定するために運転者の状態を検知する検知手段として機能するようになっている。
【００２０】
車外カメラ２１は、車両外部の前方中央又は車両内部の前方中央（フロントミラーの裏）に設けられる。車外カメラ２１は、現在の車両の前方周囲の画像を撮像して、画像信号をＥＣＵ７に送信する。車外カメラ２１は、ステレオカメラ、ＣＣＤカメラ、単眼カメラ等が用いられる。
【００２１】
レーダ２３は、車両外部の前方端に設けられる。レーダ２３は、現在の車両に対する対象物（例えば、先行車、駐車車両、歩行者、障害物等）の相対位置及び相対速度を測定し、相対位置及び相対速度の信号をＥＣＵ７に送信する。レーダ２３は、ミリ波レーダ、レーザレーダ、超音波センサ等が用いられる。
【００２２】
ソナー２５は、車両外部の後方端に設けられる。ソナー２５は、車両が低速（時速１０ｋｍ以下）で走行しているとき、現在の車両位置から後方にある対象物までの距離を測定し、距離の信号をＥＣＵ７に送信する。ソナー２５は、超音波センサ等が用いられる。
【００２３】
車速センサ２７は、現在の車速（車両の絶対速度）を検知し、車速の信号をＥＣＵ７に送信する。
【００２４】
図２に示すように、車内カメラ２８は、運転者の顔面に向けられた状態で車両内部の運転席の前方に設けられる。車内カメラ２８は、現在の運転者の顔画像を撮像し、運転者の顔画像の信号をＥＣＵ７に送信する。車内カメラ２８は、ステレオカメラ、ＣＣＤカメラ、単眼カメラ等が用いられる。
【００２５】
ハザードスイッチ５は、運転席と助手席との間で運転者が操作し易い位置に設けられる。ここで、ハザードスイッチ５は、本来、ハザードランプ１９をＯＮにして他車両の運転者等に自車両のハザード状態を知らせるものであるが、本実施形態においては、後述するように、警報を停止するために運転者によって操作される警報停止手段として機能するようになっている。具体的に、ハザードスイッチ５は、車両内部の前方のインストルメントパネル３７の中央（ステアリング３９の右側）付近に設けられる。ハザードスイッチ５は、運転者等が押下する操作に基づきＯＮ／ＯＦＦ信号を検知してＥＣＵ７に送信する。ハザードスイッチ５は、車両内部に設けられたウィンカーインジケータ３１、ＨＵＤ３３、センターディスプレイ３５、車両外部に設けられたハザードランプ１９の動作と連動可能に接続されている。
【００２６】
スピーカ２９は、左側スピーカ及び右側スピーカの２つのスピーカを備え、インストルメントパネル３７の中央付近に左右方向に直列に設けられる。ここで、スピーカ２９は、本来、運転者等にカーオーディオ等からの音を出力するものであるが、本実施形態においては、後述するように、運転者に警報を発する車内警報手段として機能するようになっている。スピーカ２９は、音の音量や音圧レベル、伝搬時間等を調整可能であり、２つのスピーカ２９により仮想音源の音像を車内空間の任意の方向及び距離に定位させる音像定位制御を行うことができるように構成されている。これにより、仮想音源の音像から運転席に向かう指向性を有する音を発生させることができる。図２に示すように、スピーカ２９が発する音を調整することにより、仮想音源の音像３０を助手席付近に形成し、仮想音源の音像３０から運転席に向かう指向性を有する音を形成する。仮想音源の音像３０から発生された音は、伝搬領域Ａを経由して運転席の運転者に到達する。
【００２７】
ウィンカーインジケータ３１は、運転席の前方の運転者が視認し易い位置に設けられる。ここで、ウィンカーインジケータ３１は、本来、運転者等にハザードランプ１９等の点灯状態を知らせるものであるが、本実施形態においては、後述するように、運転者に警報を発する車内警報手段として機能するようになっている。具体的に、ウィンカーインジケータ３１は、運転席の前方のメーターパネルの上方位置に設けられる。ウィンカーインジケータ３１は、複数のＬＥＤ電灯を備えており、ウィンカーインジケータ３１から発生される光が運転席に向かう指向性を有するように配置されている。また、ウィンカーインジケータ３１は、光の明るさを多段階に変更可能（調光可能）に構成されている。ウィンカーインジケータ３１は、方向指示スイッチ（図示せず）、ハザードスイッチ５の運転者によるＯＮ／ＯＦＦ操作に基づき点灯／消灯が実行される。
【００２８】
ＨＵＤ３３は、運転者の正面の視界内に配置され、運転席の前方のフロントガラス４１の下側領域に設けられる。ここで、ＨＵＤ３３は、本来、運転者等に車速等を表示するものであるが、本実施形態においては、後述するように、運転者に警報を発する車内警報手段として機能するようになっている。具体的に、ＨＵＤ３３は、透明なガラス材料で形成される板状パネルと、板状パネルの画面上に車速、制限速度、走行上の注意情報等のメッセージを投影する投影装置とを備えている。板状パネルは、フロントガラス４１と平行に重なって配置され、板状パネルの画面上にメッセージ等が表示される。このため、運転者は、車外の走行環境とメッセージ等を重ねて視認することができる。投影装置は、複数のＬＥＤ電灯を備えており、光の明るさを多段階に変更可能（調光可能）に構成されている。投影装置及び板状パネルは、投影装置から発生された光が板状パネルで反射され、運転席に向かう指向性を有するように配置されている。ＨＵＤ３３は、ＨＵＤ用スイッチ（図示せず）、ハザードスイッチ５等の運転者によるＯＮ／ＯＦＦ操作に基づき点灯／消灯する。
【００２９】
センターディスプレイ３５は、運転席と助手席との間の運転者が視認し易い位置に設けられる。ここで、ＨＵＤ３３は、本来、運転者等に車両の現在位置、走行経路情報、地図情報、走行上の注意情報等の表示を行うものであるが、本実施形態においては、後述するように、運転者に警報を発する車内警報手段として機能するようになっている。具体的に、センターディスプレイ３５は、車両内部の前方のインストルメントパネル３７の中央上部に設けられる。センターディスプレイ３５は、複数のＬＥＤ電灯を備えており、光の明るさを多段階に変更可能（調光可能）に構成されている。センターディスプレイ３５は、画面から発生される光が運転席に向かう指向性を有するように配置されている。センターディスプレイ３５は、センターディスプレイ用スイッチ（図示せず）、ハザードスイッチ５等の運転者によるＯＮ／ＯＦＦ操作に基づき点灯／消灯する。センターディスプレイ３５は、カーナビゲーションシステム等が用いられる。
【００３０】
ＥＣＵ７は、各機器からの信号を入力するための入力インターフェイス回路、各機器へ要求信号を出力するための出力インターフェイス回路、入力された信号を処理するためのＣＰＵ、メモリ及びこれらを作動させるためのプログラム（以上、図示せず）から構成されている。ＥＣＵ７は、検知部３、ハザードスイッチ５と通信可能に接続され、これらから受け取った信号に基づき、各種解析、計算、データの記憶、判定を実行し、車内警報部９、ブレーキ制御部１１、エンジン制御部１３、ステアリング制御部１５、ハザードランプ１９、ドアロック機構１７、通信機１８に要求信号を出力する。ＥＣＵ７は、内蔵されたＣＰＵ等の作用により、運転者状態推定部４３、運転者状態判定部４５、危険回避制御部４７として機能するようになっている。
【００３１】
運転者状態推定部４３は、車内カメラ２８にて撮像された運転者の顔画像に基づき、運転者が正常状態又は異常状態であるかを推定する（推定処理）。具体的に、運転者状態推定部４３は、運転者の顔画像に基づき、運転者の視線、瞬き回数、瞳孔の大きさ等について、予め記憶された正常時の運転者の顔画像と比較することによって、運転者が正常状態又は異常状態であるかを推定する。運転者の異常状態とは、運転者が交通規則に従い正常に運転することができない状態であり、例えば運転者の覚醒度又は意識レベルが低い状態（例えば、眠っている状態、心肺停止している状態等）や脳疾患に基づく視野欠損が発生している状態を含む。なお、本実施形態は、運転者の顔画像により運転者の状態を推定しているが、運転者状態推定部４３は、車外カメラ２１、レーダ２３、ソナー２５、車速センサ２７等にて得られた各種データ（車速、オフセット距離、車間距離、ブレーキ反応時間等）に基づき、運転者が正常状態又は異常状態であるかを推定してもよい。
【００３２】
運転者状態判定部４５は、車内警報部９を制御して車内空間に対して警報を行う（第１の車内警報処理、第２の車内警報処理）と共に、エンジン制御部１３を制御してエンジンブレーキによる制動力を発生させる（減速処理）。また、運転者状態判定部４５は、各警報処理及び減速処理の実行中に、運転者がハザードスイッチ５を操作した操作信号に基づいて、運転者が正常状態又は異常状態であるかを判定する。本実施形態は、減速処理として、エンジンブレーキにより車両に制動力を発生させているが、運転者状態判定部４５がブレーキ制御部１１を制御してブレーキ液圧を昇圧させることにより車両に制動力を発生させてもよい。
【００３３】
危険回避制御部４７は、車両に搭載された検知部３からの検知信号、ハザードスイッチ５の操作信号に基づき、エンジン制御部１３、ブレーキ制御部１１、ステアリング制御部１５、ハザードランプ１９、ドアロック機構１７、通信機１８を制御して、自動運転制御処理、車外警報処理、ロック解除処理、通報処理を実行する。具体的に、危険回避制御部４７は、エンジン制御部１３、ブレーキ制御部１１、ステアリング制御部１５のそれぞれのアクチュエータ（図示せず）を制御することにより、車両の速度・操舵を自動で制御する（自動運転制御処理）。これにより、危険回避制御部４７は、衝突防止機能や車線逸脱防止機能、自動運転機能、その他様々な機能を実現する。危険回避制御部４７は、ハザードランプ１９にＯＮ信号を送信することによりハザードランプ１９を点灯する（車外警報処理）。また、危険回避制御部４７は、車両の各ドアに設けられたドアロック機構１７に解除信号を送信することにより各ドアのロックを解除する（ロック解除処理）。危険回避制御部４７は、通信機１８にデータ等を送信することにより車外の基地局等に無線で運転者が異常状態である旨及び車両の位置情報を通報する（通報処理）。
【００３４】
ハザードランプ１９は、車両外部の後方の両端に設けられる。ここで、ハザードランプ１９は、本来、他車両の運転者等に、自車のハザード状態を知らせるものであるが、本実施形態においては、後述するように、運転者の異常状態を知らせる車外警報手段として機能するようになっている。ハザードランプ１９は、複数のＬＥＤ電灯を備え、ＥＣＵ７からの要求信号に基づきＬＥＤ電灯を点灯／消灯させる。
【００３５】
ドアロック機構１７は、車両の各ドアにそれぞれ設けられる。ここで、ドアロック機構１７は、本来、運転者等が操作してドアをロック状態（ドア開閉不可能状態）又は解除状態（ドア開閉可能状態）にするものであるが、本実施形態においては、後述するように、運転者が異常状態である時に自動でドアのロック状態を解除する機構として機能するようになっている。ドアロック機構１７は、ＥＣＵ７から要求信号を受信した場合に、各アクチュエータを作動させて全てのドア又は一部のドアを解除状態又はロック状態にする。
【００３６】
通信機１８は、ＥＣＵ７から要求信号を受信した場合に、運転者が異常状態である旨及び車両の位置情報を車外の基地局や警察署、公共機関に無線で通報するように構成されている。ここで、通信機１８は、本来、車両の走行距離や部品のメンテナンス情報を送信するものであるが、後述するように、運転者の異常状態時に通報する装置として機能するようになっている。
【００３７】
次いで、図３、図４を参照して、本発明の本実施形態による運転支援装置の動作について説明する。図３は本発明の実施形態による運転支援装置の動作を示すタイムチャートである。図４は本発明の実施形態による運転支援装置を搭載した車両の動作を示す概略平面図である。
【００３８】
時間ｔ０以前に、車内カメラ２８にて撮像された運転者の顔画像に基づいて、ＥＣＵ７の運転者状態推定部４３は、現在の運転者が正常状態又は異常状態であるかを推定する（推定処理）。具体的に、運転者状態推定部４３は、車内カメラ２８が撮像した現在の運転者の顔画像に基づき、運転者の視線が前方を向いていない状態又は瞬きが所定回数以上発生している状態、瞳孔が閉じている状態を検知した場合、運転者が異常状態であると推定する。
【００３９】
ＥＣＵ７の運転者状態推定部４３は、運転者が異常状態であると推定した場合、時間ｔ０で、警報を行うために、車両内部の２つのスピーカ２９に対してＯＮ信号を送信する。２つのスピーカ２９は、ＯＮ信号を受信すると運転者に警告音又は音声による警報を発する（第１の警報処理）。具体的に、２つのスピーカ２９は、車内空間に仮想音源の音像３０を形成して、この仮想音源の音像３０から運転席に向かう指向性を有する警告音又は音声を発する。このため、運転者が正常状態である場合、運転者は短時間で警告音又は音声に気付くことができる。警告音又は音声は、第１の所定音量で連続して発生される。
【００４０】
また、運転者が短時間で警報の停止方法を認識できるように、警告音はハザードスイッチ５をＯＮにした場合の点滅音（例えば、「カチ、カチ、カチ」）に設定され、音声は警報の停止方法を案内するメッセージ（例えば、「ハザードスイッチを押してください」）に設定されている。このため、運転者は、警告音又は音声を聞いてから短時間でハザードスイッチ５の操作による停止方法を認識することができる。運転者によってハザードスイッチ５が操作された場合、ＥＣＵ７の運転者状態判定部４５は、運転者は正常状態であると判定して、スピーカ２９からの警告音又は音声を停止する。
【００４１】
第１の所定時間（ｔ０〜ｔ１、例えば２００ｍｓｅｃ）が経過した後、時間ｔ１で、ＥＣＵ７の運転者状態判定部４５は、警報を発するためにウィンカーインジケータ３１及びＨＵＤ３３に対してＯＮ信号を送信する。ウィンカーインジケータ３１及びＨＵＤ３３は、ＯＮ信号を受信すると運転者に警告灯及び警告表示による警報を発する（第２の警報処理）。具体的に、ウィンカーインジケータ３１の警告灯及びＨＵＤ３３の警告表示は、運転席に向かう指向性を有する光を発する。このため、運転者が正常状態である場合、運転者は短時間で警告灯及び警告表示に気付くことができる。また、スピーカ２９の警告音又は音声を発した後に所定時間が経過してウィンカーインジケータ３１の警告灯及びＨＵＤ３３の警告表示を発するため、運転者は慌てることなく順序良く警報内容を確認することができる。警告灯及び警告表示は、第１の所定光量で連続して発生される。
【００４２】
また、運転者が短時間で警報の停止方法を認識できるように、ウィンカーインジケータ３１の警告灯は、通常の運転時においてハザードスイッチ５をＯＮにした場合と同様に点滅（例えば、左右向きの矢印を所定間隔で点滅）するように設定されている。ＨＵＤ３３の警告表示は、板状パネルに警報の停止方法を案内するメッセージ（例えば、「ハザードスイッチを押してください」）を表示するように設定されている。このため、運転者は、ウィンカーインジケータ３１の警告灯及びＨＵＤ３３の警告表示を視認してから短時間でハザードスイッチ５の操作による停止方法を認識することができる。運転者によってハザードスイッチ５が操作された場合、ＥＣＵ７の運転者状態判定部４５は、運転者は正常状態であると判定して、ウィンカーインジケータ３１の警告灯及びＨＵＤ３３の警告表示を消灯する。
【００４３】
本実施形態では、ウィンカーインジケータ３１及びＨＵＤ３３の両方により警報を行っているが、何れか一方だけで行ってもよく、他の機器、例えば、センターディスプレイ３５に警告表示をすることにより警報を行ってもよい。
【００４４】
第２の所定時間（ｔ０〜ｔ２、例えば６００ｍｓｅｃ）が経過し、且つ車内カメラ２８で撮像した運転者の顔画像に基づいて運転者の視線がウィンカーインジケータ３１又はＨＵＤ３３を向いていないことを検出している場合、時間ｔ２で、ＥＣＵ７の運転者状態判定部４５は、エンジン制御部１３に対して燃料供給の停止信号を送信する。エンジン制御部１３は、停止信号を受信すると燃料噴射弁を閉弁させてエンジンブレーキによる制動力を発生させる（減速処理）。これにより、車速はｔ２以前と比べて大きく減速すると共に、運転者に減速Ｇが付与される。運転者は、減速Ｇを身体で感じるので、運転者が正常状態である場合、確実に警報に気付くことができる。運転者によってハザードスイッチ５が操作された場合、ＥＣＵ７の運転者状態判定部４５は、運転者が正常状態であると判定して、エンジンブレーキを停止して通常の運転モードに復帰させる。
【００４５】
第３の所定時間（ｔ０〜ｔ３、例えば、３０００ｍｓｅｃ）が経過し、且つハザードスイッチ５の操作が検出されていない場合、時間ｔ３で、ＥＣＵ７の運転者状態判定部４５は、第１及び第２の車内警報処理、減速処理を終了する。それと同時に、ＥＣＵ７の危険回避制御部４７は、車外警報を行うためにハザードランプ１９に対してＯＮ信号を送信すると共に、自動運転制御を行うためにエンジン制御部１３、ブレーキ制御部１１、ステアリング制御部１５に対して自動運転開始信号を送信する。ハザードランプ１９は、ＯＮ信号を受信すると点灯して車外周囲の他車両の運転者や歩行者に対して運転者が異常状態であることを知らせる（車外警報処理）。エンジン制御部１３、ブレーキ制御部１１、ステアリング制御部１５は、自動運転開始信号を受信すると、危険回避制御部４７によって制御されて車両を安全な場所まで自動で走行し停止する（自動運転制御処理）。具体的に、図４に示すように、危険回避制御部４７は、ステアリング制御部１５を制御して自動で操舵することにより、他車両が走行している走行路Ｒ２と逆側である走行路Ｒ１の路肩に自車両を移動させる。また、危険回避制御部４７は、エンジン制御部１３及びブレーキ制御部１１を制御して車速をｔ３以前より大きく減少させて車両を停車する。
【００４６】
図４に示すように、時間ｔ４で、車両が停車（時速０ｋｍ）すると、危険回避制御部４７は、ドアロック機構１７を制御して、走行路Ｒ２に面しない歩道側のドアのドアロック機構１７のみを解除状態にする（ロック解除処理）。即ち、危険回避制御部４７は、走行路Ｒ１に面する走行路Ｒ２側のドアのドアロック機構１７は、ロック状態に維持する。このため、ロックが解除されている歩道側のドアを開けて異常状態の運転者を救助することができる。また、走行路Ｒ２側のドアはロックされており、異常状態の運転者がドアを不意に開けて飛び出すことを防止できる。したがって、走行路Ｒ２を走行する他車両との衝突事故の発生を未然に防止することができる。
【００４７】
時間ｔ４で、危険回避制御部４７は、通信機１８を制御して、例えば、車外の基地局や警察署、公共機関の監視者と無線で通信して、運転者が異常状態である旨及び車両の位置情報を送信する。このため、監視者は短時間で緊急車両等を車両の停車場所に派遣することができる。
【００４８】
図５を参照して本発明の実施形態による運転支援装置の動作フローについて説明する。図５は本発明の実施形態による運転支援装置の車内警報処理、減速処理等の各処理を示すフローチャート、図６は本発明の実施形態による危険回避処理を示すフローチャートである。図５及び図６において、Ｓは各工程を示す。
【００４９】
図５に示すように、Ｓ１では、検知部３で検知した各種データ（車速、オフセット距離、車間距離、ブレーキ反応時間、運転者の顔画像、先行車の車速等）を読み込む。
【００５０】
Ｓ２では、ＥＣＵ７の運転者状態推定部４３は、車内カメラ２１で撮像した運転者の顔画像に基づき現在の運転者が正常状態であるか又は異常状態であるかを推定する（推定処理）。運転者が異常状態であると推定した場合（Ｓ２；Ｙｅｓ）、Ｓ３に移行し、運転者状態判定部４５はタイマによる時間カウントを開始する（ｔ０）。運転者が正常状態であると推定した場合（Ｓ２；Ｎｏ）、継続して各種データを読み込む。
【００５１】
Ｓ４では、ＥＣＵ７の運転者状態判定部４５は、第１の所定音量でスピーカ２９から警告音又は音声を発する（第１の車内警報処理）。次いで、Ｓ５で、運転者状態判定部４５は、第１の所定時間（ｔ１、例えば２００ｍｓｅｃ）が経過したか否かを判定する。第１の所定時間が経過していない場合（Ｓ５；Ｎｏ）、第１の所定時間が経過するまでＳ４の警報を実行する。第１の所定時間が経過した場合（Ｓ５；Ｙｅｓ）は、Ｓ６で、運転者状態判定部４５は、第１の所定光量でウィンカーインジケータ３１の警告灯及びＨＵＤ３３の警告表示の光を発する（第２の車内警報処理）。また、運転者状態判定部４５は、各車内警報処理中に運転者によってハザードスイッチ５が操作された場合は警報を停止して、本フローを終了する。
【００５２】
Ｓ７では、第２の車内警報処理を実行している間、ＥＣＵ７の運転者状態判定部４５は、車内カメラ２８によって撮像された画像に基づき、運転者の視線がウィンカーインジケータ３１又はＨＵＤ３３の方向を向いているか否かを判定する。運転者の視線がウィンカーインジケータ３１又はＨＵＤ３３の方向を向いていない場合（Ｓ７；Ｙｅｓ）、Ｓ８に移行する。運転者の視線がウィンカーインジケータ３１又はＨＵＤ３３を向いている場合（Ｓ７；Ｎｏ）、運転者は正常状態である可能性が高いので、Ｓ８〜Ｓ１０を省略してＳ１１に移行する。
【００５３】
Ｓ８で、ＥＣＵ７の運転者状態判定部４５は、第２の所定時間（ｔ２、例えば６００ｍｓｅｃ）が経過したか否か判定する。第２の所定時間が経過していない場合（Ｓ８；Ｎｏ）、第２の所定時間が経過するまでＳ７の運転者の視線の判定を繰り返し実行する。第２の所定時間が経過した場合（Ｓ８；Ｙｅｓ）は、Ｓ９で、運転者状態判定部４５は、エンジンブレーキの制動力を車両に付与する（減速処理）。それと同時に、Ｓ１０で、運転者状態判定部４５は、スピーカ２９の音量を第１の所定音量から第２の所定音量に増加させると共に、ウィンカーインジケータ３１及びＨＵＤ３３の光量を第１の所定光量から第２の所定光量に増加させる（Ｓ１０）。このため、運転者に減速Ｇを付与して且つ大きな音量及び光量で警告を発するので、運転者が正常状態である場合、運転者は確実に警報に気付くことができる。また、運転者状態判定部４５は、減速処理中に運転者によってハザードスイッチ５が操作された場合は減速及び警報を停止して、本フローを終了する。
【００５４】
Ｓ１１で、ＥＣＵ７の運転者状態判定部４５は、第３の所定時間（ｔ３、例えば３０００ｍｓｅｃ）が経過したか否か判定する。第３の所定時間が経過していない場合（Ｓ１１；Ｎｏ）、Ｓ１２に移行する。第３の所定時間が経過した場合（Ｓ１１；Ｙｅｓ）は、Ｓ１５で、ＥＣＵ７の危険回避制御部４７は、危険回避処理（自動運転制御処理、車外警報処理、ロック解除処理、通報処理）を実行する。
【００５５】
Ｓ１２では、ＥＣＵ７の運転者状態判定部４５は、ハザードスイッチ５の操作信号（警告停止信号）を受信したか否かを判定する。ハザードスイッチ５の操作信号を受信していない場合（Ｓ１２；Ｎｏ）、第３の経過時間が経過するまでＳ１１の判定を繰り返し実行する。ハザードスイッチ５の操作信号を受信した場合（Ｓ１２；Ｙｅｓ）、運転者は正常状態であるので第１及び第２の車内警報処理、減速処理の全てを終了する（Ｓ１３）。
【００５６】
Ｓ１４では、ＥＣＵ７の運転者状態判定部４５は、スピーカ２９に対して報知開始の信号を送信し、予め記憶しているメッセージを音声案内により報知する。具体的に、運転者状態判定部４５は、車内警報処理及び／又は減速処理を実行した旨及び通常の運転モードに復帰した旨に関するメッセージ（例えば、「異常状態が疑われましたが、正常状態が確認できました。引き続き安全に運転してください」等のメッセージ）をスピーカ２９から発して報知する（報知処理）。このため、運転者は車両の故障等を疑うことなく安心して運転を継続することができる。なお、本実施形態は、スピーカからメッセージを音声案内により報知しているが、ＨＵＤ又はセンターディスプレイの画面にメッセージを表示することにより報知してもよい。
【００５７】
次いで、図６を参照して、Ｓ１５の危険回避処理について詳細を説明する。
危険回避処理は、車外警報処理（Ｓ２１）、自動運転制御処理（Ｓ２２）、ロック解除処理（Ｓ２４）、通報処理（Ｓ２５）を含む。
【００５８】
Ｓ２１では、ＥＣＵ７の危険回避制御部４７は、車両外部のハザードランプ１９を点灯させる（車外警報処理）。Ｓ２２では、危険回避制御部４７は、車両を自動で走行させて安全な場所で停止させる（自動運転制御処理）。
【００５９】
Ｓ２３では、ＥＣＵ７の危険回避制御部４７は、車速センサ２７からの検知信号に基づき車両が停止（時速０ｋｍ）したか否かを判定する。車両が走行している場合（Ｓ２３；Ｎｏ）、車速の検知を繰り返し実行する。車両が停止した場合（Ｓ２３；Ｙｅｓ）、Ｓ２４で、危険回避制御部４７は、歩道側のドアロック機構１７のみを解除状態にする。次いで、Ｓ２５で、危険回避制御部４７は、運転者が異常状態である旨及び車両の位置情報を車外の基地局等に通報する（通報処理）。以上で運転支援装置の動作フローを完了する。
【００６０】
次いで、本実施形態の（作用）効果について説明する。
本実施形態の運転支援装置１において、ＥＣＵ７の運転者状態判定部４５は、運転者状態推定部４３が運転者を異常状態であると推定した場合、スピーカ２９から発生される音によって形成された仮想音源の音像３０から運転席に向かう指向性を有する警告音又は音声による警報を行う（第１の車内警報処理）。また、ＥＣＵ７の運転者状態判定部４５は、運転者状態推定部４３が運転者を異常状態であると推定した場合、ウィンカーインジケータ３１の警告灯及び／又はＨＵＤ３３の警告表示によって運転席に向かう指向性を有する光による警報を行う（第２の車内警報処理）。このような本実施形態においては、運転者が正常状態である場合、運転者は従来よりも短時間で警報に気付いて警報を停止することができる。したがって、運転者が正常状態であるにもかかわらず異常状態であると誤って判定することを防止することができる。
【００６１】
本実施形態において、ＥＣＵ７の運転者状態判定部４５は、スピーカ２９が音による警報を発した後に、所定時間が経過してウィンカーインジケータ３１及びＨＵＤ３３が光による警報を発する。このように構成された本実施形態においては、運転者の聴覚に対して音による警報を行った後、所定時間が経過して運転者の視覚に対して警報を行うため、運転者は、慌てることなく順序良く警報内容を確認することができる。
【００６２】
また、本実施形態において、ＥＣＵ７の運転者状態判定部４５は、第２の車内警報を行っている間に運転者の視線がウィンカーインジケータ３１又はＨＵＤ３３を向いておらず且つ車内警報を実行した後に第２の所定時間が経過した場合、車両に対してエンジンブレーキによる制動力を付与する（減速処理）。このように構成された本実施形態においては、エンジンブレーキによる減速で運転者は減速Ｇを身体で感じるため、運転者は確実に警報に気付くことができる。
【００６３】
本実施形態において、ＥＣＵ７の運転者状態判定部４５は、エンジンブレーキの実行中に、スピーカ２９の音量を第１の所定音量から第２の所定音量に増加させる。また、運転者状態判定部４５は、ウィンカーインジケータ３１及び／又はＨＵＤ３３の光量を第１の所定光量から第２の所定光量に増加させる。このように構成された本実施形態においては、運転者に減速Ｇを付与して且つ大きな音量及び光量で警告を発するので、運転者は確実に警報に気付くことができる。
【００６４】
また、本実施形態において、ＥＣＵ７の運転者状態判定部４５は、車内警報処理を実行した後に停止信号を受信した場合、警報及びエンジンブレーキを終了して、警報及び／又はエンジンブレーキを実行した旨及び通常の運転モードに復帰した旨の車内警報に関するメッセージを運転者に報知する（報知処理）。このように構成された本実施形態においては、運転者は、車両の故障を疑うことなく安心して運転を継続することができる。
【００６５】
本実施形態において、ＥＣＵ７の危険回避制御部４７は、運転手によってハザードスイッチが操作されず且つ警報を実行した後に第３の所定時間が経過した場合、車両外部に設けられたハザードランプ１９を点灯させる（車外警報処理）と共に、自動で車両の走行を制御して停止させる（自動運転制御処理）。このように構成された本実施形態においては、運転者が異常状態であると判定された場合、ハザードランプ１９の点灯により運転者が異常状態であることを車外に知らせると共に、自動運転により運転者を安全な場所に退避させることができる。
【００６６】
また、本実施形態において、表示部はウィンカーインジケータ３１及び／又はＨＵＤ３３であり、警報停止手段はハザードスイッチ５ある。このように構成された本実施形態においては、通常の運転時に使用される機器であるため、運転者は短時間で警報内に気付くことができ、運転者は短時間で停止操作を行うことができる。
【００６７】
本実施形態では、警報停止手段としてハザードスイッチ５を用いたが、これに限定されず、例えば、ホーンスイッチ、パッシングスイッチ、方向指示スイッチ、その他スイッチを用いてもよい。
【００６８】
本発明の上述した実施形態に限定されることなく、特許請求の範囲に記載された技術的思想の範囲内で種々の変更、変形が可能である。
【符号の説明】
【００６９】
１    運転支援装置
３    検知部
５    ハザードスイッチ
７    ＥＣＵ
９    車内警報部
１７  ドアロック機構
１８  通信機
１９  ハザードランプ
２１  車外カメラ
２９  スピーカ
３０  仮想音源の音像
３１  ウィンカーインジケータ
３３  ヘッドアップディスプレイ（ＨＵＤ）
４３  運転者状態推定部
４５  運転者状態判定部
４７  危険回避制御部
【図１】
2019067242.tif 000003
【図２】
2019067242.tif 000004
【図３】
2019067242.tif 000005
【図４】
2019067242.tif 000006
【図５】
2019067242.tif 000007
【図６】
2019067242.tif 000008